(57)【要約】【課題】箱型容器の内容物中にスプーンなどの部品が混ざってしまうようなことがない容器を提供する。【解決手段】外側壁と、内側壁と、の少なくとも二重壁を有する箱型容器であって、前記内側壁の一部に切込みを形成し、この切込みを内方へと折り込んでなる、舌片状の保持部を形成する。【選択図】            図１
2007055674.tif 000002
【特許請求の範囲】
【請求項１】
外側壁と、内側壁と、の少なくとも二重壁を有する箱型容器であって、前記内側壁の一部に切込みを形成し、この切込みを内方へと折り込んでなる、舌片状の保持部を形成したことを特徴とする箱型容器。
【請求項２】
前記保持部の、一部分を欠如したことを特徴とする請求項１に記載の箱型容器。
【請求項３】
外側壁と、内側壁と、の少なくとも二重壁を有する箱型容器であって、前記内側壁の１面と、他面と、に形成された、凹部または凸部により、一対の保持部を形成したことを特徴とする箱型容器。
【請求項４】
前記内側壁に形成された、前記凸部と、該凸部と向かい合う内側壁に形成された、前記凸部と、を一対とする保持部を形成したことを特徴とする請求項３に記載の箱型容器。
【請求項５】
前記内側壁に形成された前記凹部と、該凹部と向かい合う内側壁に形成された前記凸部と、を一対とする保持部を形成したことを特徴とする請求項３に記載の箱型容器。
【請求項６】
前記内側壁に形成された前記凹部と、該凹部と向かい合う内側壁に形成された前記凹部と、を一対とする保持部を形成したことを特徴とする請求項３に記載の箱型容器。
【請求項７】
前記保持部の少なくとも１の凹部は、前記内側壁の一部を切り抜いた孔であることを特徴とする請求項６に記載の箱型容器。
【請求項８】
前記凸部は、凸形状を有する罫線であることを特徴とする請求項３に記載の箱型容器。
【請求項９】
前記凹部は、窪みであることを特徴とする請求項３に記載の箱型容器。
【請求項１０】
前記凹部は、前記内側壁の一部を切り抜いた孔であることを特徴とする請求項３に記載の箱型容器。
【請求項１１】
外側壁と、内側壁との少なくとも二重壁を有する箱型容器であって、前記内側壁の１面と、他面と、に形成された、切込みを内方へと折り込んでなる、２つの舌片状の凸部により、１対の棚状の保持部を形成したことを特徴とする箱型容器。
【請求項１２】
少なくとも１の前記舌片状の凸部は、該凸部の一部分を欠如したことを特徴とする請求項１１に記載の箱型容器。
【請求項１３】
外側壁と、内側壁との少なくとも二重壁を有する箱型容器であって、前記内側壁の一部に切り抜きを形成し、この切り抜きを開口として、該開口下縁の内側壁と、該内側壁に接する外側壁と、の間に形成される隙間により、保持部を形成したことを特徴とする箱型容器。
【請求項１４】
前記二重壁は、外側壁と、該外側壁の一部を容器の内方へと折り込んでなる内側壁と、を有することを特徴とする請求項１乃至１３に記載の箱型容器。
【請求項１５】
前記二重壁は、外側壁と、該外側壁の内側に別枠を貼り合わせてなる内側壁と、を有することを特徴とする請求項１乃至１３に記載の箱型容器。
【請求項１６】
前記二重壁は、１枚のシートを折りたたんでなる、外側壁と、内側壁と、を有することを特徴とする請求項１乃至１３に記載の箱型容器。
【請求項１７】
前記箱型容器は、紙容器であることを特徴とする請求項１乃至１６に記載の箱型容器。
【発明の詳細な説明】
【技術分野】
【０００１】
本発明は、少なくとも二重壁を有する箱型容器に関する。
【背景技術】
【０００２】
従来、粉末洗剤等を収容する箱型容器が知られている。この箱型容器は、内容物を収容する収容部と、収容部を覆うための蓋部とからなり、紙などのシートを折り線に沿って折り込み、立方体の箱型容器を形成する。
【発明の開示】
【発明が解決しようとする課題】
【０００３】
特に、粉末洗剤等を内容物とする場合、使用時においてこの粉末を掬い取るためのスプーンが同封されていることが多い。しかし、通常使用時において、粉末上にスプーンを置いておくと、粉末中にスプーンが潜ってしまうことが多々あった。また、洗濯作業時においては、濡れた手でスプーンを扱うことが多いため、洗剤をスプーンにより掬い取った後、このスプーンを再び洗剤容器に戻すと、スプーンの柄が濡れているため、スプーンの柄に粉末状の洗剤粉がこびり付いてしまう、または、洗剤粉と、スプーンとが、直接触れることにより、スプーンに付着した水分により、洗剤粉が固まってしまう等の問題があった。また、容器に粉末状の内容物を充填した後、スプーンをこの粉末上に置くと、容器の輸送時などの振動に伴い、スプーンが粉末中に潜ってしまい、使用時にスプーンを取り出しづらいという問題もあった。
【課題を解決するための手段】
【０００４】
そこで、これらの課題を解決し、内容物中にスプーンなどの部品が混ざってしまうようなことがない容器を提供することにある。
そこで、本発明の請求項１記載の発明は、外側壁と、内側壁と、の少なくとも二重壁を有する箱型容器であって、前記内側壁の一部に切込みを形成し、この切込みを内方へと折り込んでなる、舌片状の保持部を形成したことを特徴とする箱型容器である。
【０００５】
請求項２記載の発明は、請求項１記載の発明において、前記保持部の、一部分を欠如したことを特徴とする箱型容器である。
【０００６】
請求項３記載の発明は、外側壁と、内側壁と、の少なくとも二重壁を有する箱型容器であって、前記内側壁の１面と、他面と、に形成された、凹部または凸部により、一対の保持部を形成したことを特徴とする箱型容器である。
【０００７】
請求項４記載の発明は、請求項３記載の発明において、前記内側壁に形成された、前記凸部と、該凸部と向かい合う内側壁に形成された、前記凸部と、を一対とする保持部を形成したことを特徴とする箱型容器である。
【０００８】
請求項５記載の発明は、請求項３記載の発明において、前記内側壁に形成された前記凹部と、該凹部と向かい合う内側壁に形成された前記凸部と、を一対とする保持部を形成したことを特徴とする箱型容器である。
【０００９】
請求項６記載の発明は、請求項３記載の発明において、前記内側壁に形成された前記凹部と、該凹部と向かい合う内側壁に形成された前記凹部と、を一対とする保持部を形成したことを特徴とする箱型容器である。
【００１０】
請求項７記載の発明は、請求項６記載の発明において、前記保持部の少なくとも１の凹部は、前記内側壁の一部を切り抜いた孔であることを特徴とする箱型容器である。
【００１１】
請求項８記載の発明は、請求項３記載の発明において、前記凸部は、凸形状を有する罫線であることを特徴とする箱型容器である。
【００１２】
請求項９記載の発明は、請求項３記載の発明において、前記凹部は、窪みであることを特徴とする箱型容器である。
【００１３】
請求項１０記載の発明は、請求項３記載の発明において、前記凹部は、前記内側壁の一部を切り抜いた孔であることを特徴とする箱型容器である。
【００１４】
請求項１１記載の発明は、外側壁と、内側壁との少なくとも二重壁を有する箱型容器であって、前記内側壁の１面と、他面と、に形成された、切込みを内方へと折り込んでなる、２つの舌片状の凸部により、１対の棚状の保持部を形成したことを特徴とする箱型容器である。
【００１５】
請求項１２記載の発明は、請求項１１記載の発明において、少なくとも１の前記舌片状の凸部は、該凸部の一部分を欠如したことを特徴とする箱型容器である。
【００１６】
請求項１３記載の発明は、外側壁と、内側壁との少なくとも二重壁を有する箱型容器であって、前記内側壁の一部に切り抜きを形成し、この切り抜きを開口として、該開口下縁の内側壁と、該内側壁に接する外側壁と、の間に形成される隙間により、保持部を形成したことを特徴とする箱型容器である。
【００１７】
請求項１４記載の発明は、請求項１乃至１３に記載の発明において、前記二重壁は、外側壁と、該外側壁の一部を容器の内方へと折り込んでなる内側壁と、を有することを特徴とする箱型容器である。
【００１８】
請求項１５記載の発明は、請求項１乃至１３に記載の発明において、前記二重壁は、外側壁と、該外側壁の内側に別枠を貼り合わせてなる内側壁と、を有することを特徴とする箱型容器である。
【００１９】
請求項１６記載の発明は、請求項１乃至１３に記載の発明において、前記二重壁は、１枚のシートを折りたたんでなる、外側壁と、内側壁と、を有することを特徴とする箱型容器である。
【００２０】
請求項１７記載の発明は、請求項１乃至１６に記載の発明において、前記箱型容器は、紙容器であることを特徴とする箱型容器である。
【発明の効果】
【００２１】
請求項１に記載の発明によれば、外側壁と、内側壁と、の少なくとも二重壁を有する箱型容器であって、前記内側壁の一部に切込みを形成し、この切込みを内方へと折り込んでなる、舌片状の保持部を形成したことを特徴とする。
よって、前記舌片状の保持部に、スプーンなどの部品を保持することができ、内容物中に部品が潜りこんでしまうようなことがない。
【００２２】
請求項２に記載の発明によれば、請求項１記載の発明において、前記保持部の、一部分を欠如したことを特徴とする。
よって、前記保持部の一部分を欠如した箇所に、スプーンなどの部品を保持することができ、内容物中に部品が潜りこんでしまうようなことがない。
【００２３】
請求項３に記載の発明によれば、外側壁と、内側壁と、の少なくとも二重壁を有する箱型容器であって、前記内側壁の１面と、他面と、に形成された、凹部または凸部により、一対の保持部を形成したことを特徴とする。
よって、一対の保持部により、部品全体を保持することが可能である。
【００２４】
請求項４に記載の発明によれば、請求項３記載の発明において、前記内側壁に形成された、前記凸部と、該凸部と向かい合う内側壁に形成された、前記凸部と、を一対とする保持部を形成したことを特徴とする。
よって、前記凸部と、該凸部と向かい合う内側壁に形成された、前記凸部と、を一対とする保持部により、部品全体を保持することが可能である。
【００２５】
請求項５記載の発明によれば、請求項３記載の発明において、前記内側壁に形成された前記凹部と、該凹部と向かい合う内側壁に形成された前記凸部と、を一対とする保持部を形成したことを特徴とする。
よって、前記内側壁に形成された前記凹部と、該凹部と向かい合う内側壁に形成された前記凸部と、を一対とする保持部により、部品全体を保持することが可能である。
【００２６】
請求項６記載の発明によれば、請求項３記載の発明において、前記内側壁に形成された前記凹部と、該凹部と向かい合う内側壁に形成された前記凹部と、を一対とする保持部を形成したことを特徴とする。
よって、前記内側壁に形成された前記凹部と、該凹部と向かい合う内側壁に形成された前記凹部と、を一対とする保持部により、部品全体を保持することが可能である。
【００２７】
請求項７記載の発明によれば、請求項６記載の発明において、前記保持部の少なくとも１の凹部は、前記内側壁の一部を切り抜いた孔であることを特徴とする。
よって、前記保持部を、前記内側壁の一部を切り抜くことで簡単に形成することが可能である。
【００２８】
請求項８記載の発明によれば、請求項３記載の発明において、前記凸部は、凸形状を有する罫線であることを特徴とする。
よって、前記凸部を、凸形状を有する罫線とすることで簡単に保持部を形成することが可能である。
【００２９】
請求項９記載の発明によれば、請求項３記載の発明において、前記凹部は、窪みであることを特徴とする。
よって、前記凹部を、窪みとすることで簡単に保持部を形成することが可能である。
【００３０】
請求項１０記載の発明によれば、請求項３記載の発明において、前記凹部は、前記内側壁の一部を切り抜いた孔であることを特徴とする。
よって、前記凹部を、前記内側壁の一部を切り抜くことで簡単に形成することが可能である。
【００３１】
請求項１１記載の発明によれば、外側壁と、内側壁との少なくとも二重壁を有する箱型容器であって、前記内側壁の１面と、他面と、に形成された、切込みを内方へと折り込んでなる、２つの舌片状の凸部により、１対の棚状の保持部を形成したことを特徴とする。
よって、２つの内側壁の、１面と、他面と、に形成された、切込みを内方へと折り込むことにより形成される２つの舌片状の凸部からなる、一対の保持部により、部品全体を保持することが可能である。さらには、棚形状の保持部を形成することにより、舌片状の凸部の長さ分、部品の長さが短くても、部品を保持することが可能である。よって、保持可能な部品の、大きさや、長さの許容範囲が大きくなる効果がある。
【００３２】
請求項１２記載の発明によれば、請求項１１記載の発明において、少なくとも１の前記舌片状の凸部は、該凸部の一部分を欠如したことを特徴とする。
よって、舌片状の凸部の一部分を欠如した箇所と、他の凸部と、を一対とする保持部に、部品を保持可能である。
【００３３】
請求項１３記載の発明によれば、外側壁と、内側壁との少なくとも二重壁を有する箱型容器であって、前記内側壁の一部に切り抜きを形成し、この切り抜きを開口として、該開口下縁の内側壁と、該内側壁に接する外側壁と、の間に形成される隙間により、保持部を形成したことを特徴とする。
よって、収容部の内側壁の一部に、切り抜きを形成するだけで、経済的かつ機能的に保持部を形成することが可能である。
【００３４】
請求項１４記載の発明によれば、請求項１乃至１３に記載の発明において、前記二重壁は、外側壁と、該外側壁の一部を容器の内方へと折り込んでなる内側壁と、を有することを特徴とする。
よって、前記二重壁を有する箱型容器を容易に形成することが可能である。
【００３５】
請求項１５記載の発明によれば、請求項１乃至１３に記載の発明において、前記二重壁は、外側壁と、該外側壁の内側に別枠を貼り合わせてなる内側壁と、を有することを特徴とする。
よって、前記二重壁を有する箱型容器を容易に形成することが可能である。
【００３６】
請求項１６記載の発明によれば、請求項１乃至１３に記載の発明において、前記二重壁は、１枚のシートを折りたたんでなる、外側壁と、内側壁と、を有することを特徴とする。
よって、前記二重壁を有する箱型容器を容易に形成することが可能である。
【００３７】
請求項１７記載の発明によれば、請求項１乃至１６に記載の発明において、前記箱型容器は、紙容器であることを特徴とする。
よって、保持部を有する箱型容器を容易に形成することが可能である。
【発明を実施するための最良の形態】
【００３８】
図１は、本発明の一例としての箱型容器１の全体斜視図である。この箱型容器１は、蓋部２及び収容部３から構成され、蓋部２が収容部３を覆うようにして閉蓋される。
前記蓋部２の把持部４近傍には、半円形状のコハゼ６が形成されており、このコハゼ６の両端から、把持部４を折り曲げるための折込線（９、９’）が形成されている。そして、蓋部２の開封時に把持部４を掴み、引き上げると、把持部４が折込線（９、９’）に沿って曲がり、コハゼ６の先端が突出する。このコハゼ６の先端を収容部３に形成されたロック部５の上方の隙間に掛止もしくは引き抜くことにより、蓋部２の開閉作業を行うものである。また、容器１の収容部３の内側壁には、１または複数の凸部もしくは凹部からなる保持部７が形成されており、この保持部７によって、後述する、部品Ｂを保持することが可能である。
【００３９】
図１で示した箱型容器１の展開図を、図２から図４に示す。
図２は、蓋部２の展開図である。蓋部２は、１枚のシート上に形成された複数の折り線ｋよって、計９つの面に区画されている。そして、これらの面を折り線ｋに沿って、内側へと折り込むことにより、立方体形状の蓋部２を形成する。
上記シートに形成された複数の面は、詳しくは、１つの天板ｍと、この天板ｍに接する４つの側面（ｃ１、ｃ２、ｃ３、ｃ４）と、貼着面（ｄ４、ｄ５、ｄ６、ｄ７）とからなり、それぞれの面を折り線ｋに沿って９０°の角度で折り込み、貼着面（ｄ４、ｄ５、ｄ６、ｄ７）にて貼り合せることにより蓋部２を完成する。
【００４０】
また、蓋部２の表面（ｃ２）には、略四角形状の把持部４が形成されている。そして、把持部４上方には、略上半円形状のコハゼ６が形成されている。このコハゼ６には、コハゼ６の左右両側から前記把持部４の付け根にかけて、直線状の罫線（折込線）（９、９’）が形成されており、蓋部２の開封時に把持部４を掴み、引き上げると、把持部４が折込線（９、９’）に沿って曲がり、コハゼ６の先端が突出することとなる。そして、このコハゼ６の先端を収容部３に形成されたロック部５の上方の隙間に掛止することにより、蓋部２のロックを行うものである。また、表面（ｃ４）は、後述する、収容部３のヒンジ面（ｆ１）に貼着して、蓋部２の開閉をする際のヒンジ部となる。
【００４１】
図３は、収容部３の展開図である。収容部３は、１枚のシート上に形成された複数の折り線ｋよって、計１３の面に区画されている。そして、これらの面を折り線ｋに沿って、内側へと折り込むことにより、立方体の収容部３を形成する。
上記シートに形成された複数の面は、詳しくは、４つの外側壁（ｓ１、ｓ２、ｓ３、ｓ４）と、この４つの外側壁の上方に接し、箱型容器の組み立て時、収容部の内側に折り込む面である４つの内側壁（ｐ１、ｐ２、ｐ３、ｐ４）と、前記外側壁（ｓ２、ｓ４）の下方に接し、箱型容器の組み立て時、収容部の底部となる２つの底面（ｔ１、ｔ２）と、前記外側壁（ｓ１、ｓ３）の下方に接する２つの貼合せ面（ｄ２、ｄ３）と、前記外側壁（ｓ４）の横に接する１つの貼合せ面（ｄ１）と、からなる。
また、それぞれの内側壁（ｐ１、ｐ２、ｐ３、ｐ４）の縁周には、内側壁を収容部３の内方へと折りたたんだ後、前記外側壁（ｓ１、ｓ２、ｓ３、ｓ４）の裏側に貼り付けるための接着部ｕが形成されている。また、外側壁（ｓ４）の一部分には、蓋部２の一部を貼着してヒンジ部ｆを形成するためのヒンジ面（ｆ１）が形成されている。
【００４２】
収容部３の、それぞれの面（ｐ１、ｐ２、ｐ３、ｐ４）（ｓ１、ｓ２、ｓ３、ｓ４）（ｔ１、ｔ２）（ｄ１、ｄ２、ｄ３）は、折り線ｋを介して接しており、この折り線ｋに沿って各面を折り込んだ後、貼り合せることにより、立方体の収容部３を完成する。
このとき、内側壁以外の面（ｓ１、ｓ２、ｓ３、ｓ４）（ｔ１、ｔ２）（ｄ１、ｄ２、ｄ３）は、折り線ｋに沿って９０°の角度で折込んだ後、貼合せ面（ｄ１、ｄ２、ｄ３）にて貼着する。
【００４３】
一方、内側壁（ｐ１、ｐ２、ｐ３、ｐ４）は、折り線ｋに沿って１８０°の角度で折込み、外側壁（ｓ１、ｓ２、ｓ３、ｓ４）の裏側にて貼着する。特に、内側壁（ｐ１、ｐ２、ｐ３、ｐ４）の一部分に、凹部、凸部、切込み、等を形成することにより、後述する、部品の保持が可能な保持部７を形成する。
【００４４】
内側壁（ｐ１、ｐ２、ｐ３、ｐ４）を折り線ｋに沿って１８０°折込むと、図４に示すように、容器の内側に折り込まれた内側壁（ｐ１、ｐ２、ｐ３、ｐ４）を形成する。
この内側壁（ｐ１、ｐ２、ｐ３、ｐ４）の一部分を、切り抜く、もしくは、切込みを形成する、もしくは、凹部、凸部を形成するなどして、収容部３内に、部品の保持が可能な保持部７を形成する。
【００４５】
例えば、図４に示すように、内側壁（ｐ１）と、内側壁（ｐ３）と、には、面の中央付近に切込み（ｖ１、ｖ３）を形成し、また、内側壁（ｐ２）には、２つの略四角形状の２つの切り抜き（ｖ２、ｖ２’）を形成し、また、この内側壁（ｐ２）と向かい合う内側壁（ｐ４）の一部には、２つの凸形状の罫線（ｖ４、ｖ４’）を形成する。
【００４６】
このとき、前記内側壁（ｐ１、ｐ２、ｐ３、ｐ４）は、内側壁の縁周に形成された接着部ｕを、外側壁（ｓ１、ｓ２、ｓ３、ｓ４）の裏側に、のり等で接着する。
そして、開口部５を有する外側壁（ｓ２）と接着する内側壁（ｐ２）に、切り抜き等の貫通孔を形成すると、この切り抜きより、開口部を通って、内容物が外に漏れてしまう恐れがある。よって、開口部などの孔を有する外側壁（ｓ２）に接着する内側壁（ｐ２）には、切り抜き以外の、罫線などの凸部、若しくは、窪みなどの凹部を形成することが望ましい。または、開口部５を有する外側面（ｓ２）に接着する内側壁（ｐ２）の接着部ｕを、該内側壁（ｐ２）の縁周に形成せず、開口部５を囲むように、接着部ｕを形成することにより、内側壁（ｐ２）に、切り抜き等の貫通孔を形成しても、内容物が外部に漏れ出してしまうようなことがない。
【００４７】
同様に、ヒンジ部（ｆ１）を有する外側壁も、この外側壁に接着する内側壁に切り抜きを形成すると、ヒンジ部の隙間を通って、内容物が外に漏れてしまう恐れがある。よって、ヒンジ部を有する外側壁に接着する内側壁には、切り抜き以外の、罫線などの凸部、若しくは、窪みなどの凹部を形成することが望ましい。
【００４８】
上記シートから立方体を形成すると、図５に示すような、収容部３を完成する。さらに、内側壁に形成された前記切込み（ｖ１、ｖ３）の内側を、収容部の内方へ向かって倒すと、図６に示すような、スプーン等の部品Ｂの一部に形成された穴を引っ掛けることにより、部品Ｂを保持可能な、舌片状の凸部からなる、保持部７を形成する。この場合、前記舌片状の凸部７の一部をさらに欠如し、凸形状の保持部７とすることにより、スプーンなどの部品Ｂに孔を形成し、この孔を凸形状の保持部７に引っ掛けることが可能である。さらには、前記切込み（ｖ１、ｖ３）の一部分に指先が入る程度の隙間が形成されるため、前記切込み（ｖ１、ｖ３）の内側を倒しやすくなる効果がある。また、収容部の短辺に保持部７を形成することにより、比較的長い形状の部品Ｂであっても、収容部３の長辺の対角線の長さ以内であれば、部品Ｂを保持、収容可能である。
【００４９】
また、前記内側壁（ｐ２）に形成された罫線（ｖ２）と、内側壁（ｐ４）に形成された切り抜き（ｖ４）とにより、図７に示すような、１対の保持部７となる。この場合、部品Ｂの幅が小さいものであれば、収容部３の長辺側に複数対の保持部７を形成することが可能である。また、中央付近に保持部７を形成した場合、消費者が右利き、左利き、にかかわらず、部品Ｂの出し入れを容易に行うことができる。
【００５０】
以下に本発明の箱型容器に形成した、保持部の一例を示す。
図８は、収容部３の短辺の内側壁（ｐ１）に、切込み（ｖ１）を形成し、この切込み（ｖ１）の内側を、収容部の内方へと倒して舌片状の保持部７を形成した場合の例である。この場合、図９に示すように、スプーン等の部品Ｂに形成された屈曲箇所Ｙを、前記舌片状の保持部７に引っ掛けることにより、部品Ｂを保持することができる。
【００５１】
また、前記舌片状の保持部７先端の一部分を欠如することにより形成される突起部に、図６に示すように、部品Ｂの一部に形成された孔を引っ掛けることができる。
また、図１０に示すように、舌片状の保持部７の略中央部分を欠如して孔Ｍを形成すると、図１１に示すように、部品Ｂの一部に形成された突起Ｔを、前記保持部７に形成された孔Ｍに挿入することにより、部品Ｂを保持可能である。
【００５２】
次に、図１２は、収容部３の向かい合う長辺の内側壁（ｐ２、ｐ４）に、それぞれ２つの凸形状の罫線からなる凸部Ｈを設けることにより、一対の保持部（７、７'）を形成した場合の例を示す。
この場合、スプーン等の部品Ｂを保持するための２対の保持部７を形成することができる。また、図１３に示すように、前記保持部（７、７'）の前記凸部Ｈとして、突出した罫線Ｈを設ければ良く、既存の罫線を形成する作業のみで保持部（７、７'）を形成することができるため、経済的である。
【００５３】
次に、図１４は、収容部３の向かい合う長辺の内側壁（ｐ２、ｐ４）のうち、内側壁（ｐ２）には２つの凸形状の罫線からなる保持部７'を、内側壁（ｐ４）には２つの凹状の窪みからなる保持部７をそれぞれ形成し、部品Ｂを保持する保持部（７、７'）を形成した場合の例を示す。
【００５４】
前記凹状の窪みは、図１５に示すように、窪んだデボスＤを設ければ良く、既存のデボスＤを形成する作業のみで保持部７を形成することができるため、経済的である。また、保持部７の前記凹状の窪みは、図１６に示すように、切り抜きＶでも良く、さらに経済的に凹部を形成することが可能である。
【００５５】
次に、図１７は、収容部３の向かい合う長辺の内側壁（ｐ２、ｐ４）に、それぞれ２つの切り抜きを形成し、この切り抜きの内側を収容部３の内方へ倒すことにより形成される、向かい合う２つの舌片状の凸部により、棚状の保持部（７、７）を形成した場合の例を示す。
この場合、収容部３の内側に形成された、向かい合う２つの凸部からなる保持部（７、７）に、部品Ｂの両端を載せることにより、１対の保持部（７、７）を形成することができる。
【００５６】
また、前記舌片状の凸部の一部分を欠如することにより、図１８に示すように、部品Ｂの一方を凸部の欠如された保持部７'に引掛け、部品Ｂの他方を棚状の舌片部７に載せることにより、一対の保持部（７、７'） を形成することができる。
【００５７】
このように、棚形状の保持部を形成することにより、上述した、向かい合う内側壁の間に形成された、凹部や凸部に、部品の先端と、後端と、を保持する場合に比べ、安定して部品を保持可能である。
また、上述した、向かい合う内側壁の間に形成される、凹部や凸部に、部品の先端と後端とを保持する場合、部品の長さと、収容部の幅と、が略一致する必要があるが、このように、棚形状の保持部を形成することにより、突出した棚部分となる凸部の長さ分、部品の長さが短くても、部品を保持することが可能である。よって、保持可能な部品の大きさや、長さの許容範囲が大きくなる効果がある。
【００５８】
次に、図１９に示すように、収容部３の、内側壁（ｐ１）の一部に、切り抜きＶを形成し、この切り抜きＶを開口として、該開口下縁の内側壁（ｐ１）と、該内側壁（ｐ１）に貼着された外側壁（ｓ１）と、の間に形成された隙間に、部品Ｂの被保持部Ｂ' を挿入し引っ掛けることにより、部品Ｂを保持することもできる。
この場合、収容部３の内側壁（ｐ１）の一部に、切り抜きＶを形成するだけで良く、経済的かつ機能的に保持部７を形成可能である。
【００５９】
以上のように、本発明の箱型容器は、内側壁の一部に、切抜きや、この切抜きの内側を内方へ倒すことにより形成される凸部や、凸形状を有する罫線や、内側壁の一部をデボスして窪ませることにより形成される凹部や、内側壁の一部を切り抜くことにより形成される凹部などを形成し、これらを組み合わせることにより、様々な形状からなる部品の保持部を形成することができる。
【００６０】
本発明の箱型容器において、収容部の内側に形成される、前記切り抜き、前記罫線、もしくは前記切込み、などの凹凸部の形成位置は、特に限定されるものでなく、使用状況に合わせて任意の位置にこれらを組み合わせて保持部を形成することが可能である。
【００６１】
また、外側壁ｓと、内側壁ｐとを有する箱型容器１は、上記例に限らず、例えば図２０に示すような、箱型容器１に適用しても良い。この場合、図２１の展開図に示すように、外側壁ｓと、内側壁ｐとが別体からなり、さらには、箱型容器１の外側壁ｓの一部にチャックＲを設け、使用時、このチャックＲを切り取ることにより形成される蓋部２と、収容部３とからなる箱型容器１であって、この箱型容器１の収容部３の内側に、別枠からなる内側壁ｐを貼り合わせることにより二重壁を形成し、内側壁ｐに保持部７を形成しても良い。
【００６２】
さらには、図２２に示すような、箱型容器１に適用しても良い。この場合、図２３の展開図に示すように、１枚のシートを折り込み、外側壁ｓと、内側壁ｐとを有する二重壁構造を形成し、内側壁ｐに保持部７を形成しても良い。
また、箱型容器１は、二重壁に限らず、三重壁、四重壁などの複数壁を有する箱型容器１であっても良い。さらには、前記保持部は、向かい合った面に限らず、部品を保持可能であれば、内側壁の任意の面に形成可能である。
【００６３】
このように、本発明の箱型容器によれば、内容物の出し入れに用いる部品を、容器内に保持する場所を形成可能であるため、内容物と、部品とが一体に混ざってしまうようなことがない。特に、内容物が、液体、ゾル、ゲル、粉末等の流動物であり、内容物とスプーン等の部品とを分けて収容する必要がある場合、本発明の箱型容器の部品保持機能が効果的である。また、容器を形成する材質は、紙箱に限らず、プラスチック、多層フィルム、プラスチック樹脂をコーティングした紙など様々な材質からなる箱型容器に応用可能である。
【図面の簡単な説明】
【００６４】
【図１】本発明の箱型容器を示す全体斜視図である。
【図２】本発明の箱型容器の、蓋部の展開図である。
【図３】本発明の箱型容器の、収容部の展開図である。
【図４】本発明の箱型容器の、収容部の展開図である。
【図５】本発明の箱型容器を示す上方斜視図である。
【図６】本発明の箱型容器の保持部の一例を示す、一部拡大斜視図である。
【図７】本発明の箱型容器の保持部の一例を示す、一部拡大斜視図である。
【図８】本発明の箱型容器の保持部の一例を示す、一部拡大斜視図である。
【図９】本発明の箱型容器の保持部の一例を示す、一部拡大斜視図である。
【図１０】本発明の箱型容器の保持部の一例を示す、一部拡大斜視図である。
【図１１】本発明の箱型容器の保持部の一例を示す、一部拡大斜視図である。
【図１２】本発明の箱型容器の保持部の一例を示す、一部拡大斜視図である。
【図１３】本発明の箱型容器の保持部の一例を示す、一部拡大斜視図である。
【図１４】本発明の箱型容器の保持部の一例を示す、一部拡大斜視図である。
【図１５】本発明の箱型容器の保持部の一例を示す、一部拡大斜視図である。
【図１６】本発明の箱型容器の保持部の一例を示す、一部拡大斜視図である。
【図１７】本発明の箱型容器の保持部の一例を示す、一部拡大斜視図である。
【図１８】本発明の箱型容器の保持部の一例を示す、一部拡大斜視図である。
【図１９】本発明の箱型容器の保持部の一例を示す、一部拡大斜視図である。
【図２０】箱型容器の別の例を示す斜視図である。
【図２１】図２０の箱型容器の展開図である。
【図２２】箱型容器の別の例を示す斜視図である。
【図２３】図２２の箱型容器の展開図である。
【符号の説明】
【００６５】
１  箱型容器
２  蓋部
３  収容部
４  把持部
５  ロック部
６  コハゼ
７、７'  保持部
９、９’  折込線
ｓ１、ｓ２、ｓ３、ｓ４  外側壁
ｐ１、ｐ２、ｐ３、ｐ４  内側壁
ｔ１、ｔ２  底面
ｄ１〜ｄ３  貼合せ面
ｆ１  ヒンジ面
ｃ１、ｃ２、ｃ３、ｃ４  蓋部の側面
ｄ４〜ｄ７  貼合せ面
ｍ  蓋部の天面
ｋ  折り線
ｕ  接着部
ｖ１  切込み
ｖ２、ｖ２’  切り抜き
ｖ３  切込み
ｖ４、ｖ４’  凸部（罫線）
Ｖ  切り抜き
Ｂ  部品
Ｂ'  部品の被保持部
Ｈ、Ｆ  凸部
Ｍ  孔
Ｔ  突起
Ｙ  屈曲箇所
Ｒ  チャック
ｓ  外側壁
ｐ  内側壁
【図１】
2007055674.tif 000003
【図２】
2007055674.tif 000004
【図３】
2007055674.tif 000005
【図４】
2007055674.tif 000006
【図５】
2007055674.tif 000007
【図６】
2007055674.tif 000008
【図７】
2007055674.tif 000009
【図８】
2007055674.tif 000010
【図９】
2007055674.tif 000011
【図１０】
2007055674.tif 000012
【図１１】
2007055674.tif 000013
【図１２】
2007055674.tif 000014
【図１３】
2007055674.tif 000015
【図１４】
2007055674.tif 000016
【図１５】
2007055674.tif 000017
【図１６】
2007055674.tif 000018
【図１７】
2007055674.tif 000019
【図１８】
2007055674.tif 000020
【図１９】
2007055674.tif 000021
【図２０】
2007055674.tif 000022
【図２１】
2007055674.tif 000023
【図２２】
2007055674.tif 000024
【図２３】
2007055674.tif 000025